(57)【要約】本発明は、インクジェット印刷用のインクセットに、特に、一色の別色へのブリードを減らすようにインクがすべて互いに相互作用するインクセットに関する。本発明は、また、この互いに相互作用するインクセットでのインクジェット印刷の方法にも関する。【特許請求の範囲】
【請求項１】
相互に作用するインクのインクセットであって、前記インクセットは、下記のカテゴリー（ａ）〜（ｄ）：
（ａ）着色剤と水性媒体とを含む比較的高いｐＫａの水性アニオンインクと、
（ｂ）着色剤と水性媒体とを含み、カテゴリーａからのセット中の任意のインクのｐＫａよりも下のｐＨに調節されている比較的低いｐＫａの水性アニオンインクと、
（ｃ）着色剤と水性媒体とを含む水性で第四級化されていないカチオンインクと、
（ｄ）着色剤と水性媒体とを含む水性第四級化カチオンインクと、
から選択される少なくとも４つのインクを含み、
任意の１つのカテゴリーからの３つ以下のインクがセット中に存在し、任意の１つのカテゴリーからのすべてのインクは、水性相変化メカニズムによって別の１つと互いに相互作用するように、補完的な非相溶性成分をさらに含むことを特徴とするインクセット。
【請求項２】
（ａ１）第１着色剤、第１水性媒体および、任意選択的に、第１非相溶性添加剤を含み、第１ｐＫａを有する第１水性アニオンインクと、
（ａ２）第２着色剤、第２水性媒体および、任意選択的に、第２非相溶性添加剤を含み、第２ｐＫａを有する第２水性アニオンインクと、
（ａ３）第３着色剤、第３水性媒体および、任意選択的に、第３非相溶性添加剤を含み、第３ｐＫａを有する第３水性アニオンインクと、
（ｂ１）第４着色剤、第４水性媒体および、任意選択的に、第４非相溶性添加剤を含み、第４ｐＫａを有する第４水性アニオンインクであって、もし、インク（ａ１）、（ａ２）および（ａ３）の１つまたは複数が存在する場合には、
（ｉ）第４ｐＫａは第１、第２または第３ｐＫａのいずれよりも低く、かつ
（ｉｉ）第４アニオンインクは第１、第２または第３ｐＫａのいずれよりも下のｐＨを有する第４水性アニオンインクと、
（ｂ２）第５着色剤、第５水性媒体および、任意選択的に、第５非相溶性添加剤を含み、第５ｐＫａを有する第５水性アニオンインクであって、もし、インク（ａ１）、（ａ２）および（ａ３）の１つまたは複数が存在する場合には、
（ｉ）第５ｐＫａは第１、第２または第３ｐＫａのいずれよりも低く、かつ
（ｉｉ）第５アニオンインクは第１、第２または第３ｐＫａのいずれよりも下のｐＨを有する第５水性アニオンインクと、
（ｂ３）第６着色剤、第６水性媒体および、任意選択的に、第６非相溶性添加剤を含み、第６ｐＫａを有する第６水性アニオンインクであって、もし、インク（ａ１）、（ａ２）および（ａ３）の１つまたは複数が存在する場合には、
（ｉ）第６ｐＫａは第１、第２または第３ｐＫａのいずれよりも低く、かつ、
（ｉｉ）第６アニオンインクは第１、第２または第３ｐＫａのいずれよりも下のｐＨを有する第６水性アニオンインクと、
（ｃ１）第７着色剤、第７水性媒体および、任意選択的に、第７非相溶性添加剤を含む第１水性で第四級化されていないカチオンインクと、
（ｃ２）第８着色剤、第８水性媒体および、任意選択的に、第８非相溶性添加剤を含む第２水性で第四級化されていないカチオンインクと、
（ｃ３）第９着色剤、第９水性媒体および、任意選択的に、第９非相溶性添加剤を含む第３水性で第四級化されていないカチオンインクと、
（ｄ１）第１０着色剤、第１０水性媒体および、任意選択的に、第１０非相溶性添加剤を含む第１水性第四級化カチオンインクと、
（ｄ２）第１１着色剤、第１１水性媒体および、任意選択的に、第１１非相溶性添加剤を含む第２水性第四級化カチオンインク、ならびに
（ｄ３）第１２着色剤、第１２水性媒体および、任意選択的に、第１２非相溶性添加剤を含む第３水性第四級化カチオンインクであって、
もし、
（ａ１）、（ａ２）および（ａ３）は異なり、かつ、（ａ１）、（ａ２）および（ａ３）の２つ以上が存在する場合には、存在する（ａ１）、（ａ２）および（ａ３）のそれぞれは第１、第２および第３非相溶性添加剤をそれぞれさらに含み、前記第１、第２および第３非相溶性添加剤はそれぞれそれらの間での接触の場合に第１、第２および第３水性媒体の水性相分離を誘発するように互いに非相溶性であり、
（ｂ１）、（ｂ２）および（ｂ３）は異なり、かつ、（ｂ１）、（ｂ２）および（ｂ３）の２つ以上が存在する場合には、存在する（ｂ１）、（ｂ２）および（ｂ３）のそれぞれは第４、第５および第６非相溶性添加剤をそれぞれさらに含み、前記第４、第５および第６非相溶性添加剤はそれぞれそれらの間での接触の場合に第４、第５および第６水性媒体の水性相分離を誘発するように互いに非相溶性であり、
（ｃ１）、（ｃ２）および（ｃ３）は異なり、かつ、（ｃ１）、（ｃ２）および（ｃ３）の２つ以上が存在する場合には、存在する（ｃ１）、（ｃ２）および（ｃ３）のそれぞれは第７、第８および第９非相溶性添加剤をそれぞれさらに含み、前記第７、第８および第９非相溶性添加剤はそれぞれそれらの間での接触の場合に第７、第８および第９水性媒体の水性相分離を誘発するように互いに非相溶性であり、
（ｄ１）、（ｄ２）および（ｄ３）は異なり、かつ、（ｄ１）、（ｄ２）および（ｄ３）の２つ以上が存在する場合には、存在する（ｄ１）、（ｄ２）および（ｄ３）のそれぞれは第１０、第１１および第１２非相溶性添加剤をそれぞれさらに含み、前記第１０、第１１および第１２非相溶性添加剤はそれぞれそれらの間での接触の場合に第１０、第１１および第１２水性媒体の水性相分離を誘発するように互いに非相溶性である第３水性第四級化カチオンインクと、
からなる群から選択された少なくとも４つのインクを含むことを特徴とする互いに相互作用するインクのインクセット。
【請求項３】
任意の１つのカテゴリー（ａ）〜（ｄ）からの２つ以下のインクがセット中に存在することを特徴とする請求項１または２のいずれかに記載のインクセット。
【請求項４】
各カテゴリー（ａ）〜（ｄ）からの少なくとも１つのインクがセット中に存在することを特徴とする請求項１または２のいずれかに記載のインクセット。
【請求項５】
すべての着色剤が顔料であることを特徴とする請求項１または２のいずれかに記載のインクセット。
【請求項６】
すべての着色剤が染料であることを特徴とする請求項１または２のいずれかに記載のインクセット。
【請求項７】
少なくとも４つのインクがシアン着色剤入りの少なくとも１つのインク、マゼンタ着色剤入りの少なくとも１つインク、黄色着色剤入りの少なくとも１つインクおよび黒色着色剤入りの少なくとも１つインクより構成されることを特徴とする請求項１または２のいずれかに記載のインクセット。
【請求項８】
少なくとも４つのインクの１つが着色剤としてのカーボンブラック顔料より構成され、セットの残りのインクが着色剤としての染料より構成されることを特徴とする請求項１または２のいずれかに記載のインクセット。
【請求項９】
インクジェット印刷の方法であって、インクジェットプリンターにより基材上へインクセットを噴射することによって前記インクジェットプリンターにより前記基材を印刷する工程を含み、前記インクセットが請求項１〜８のいずれか１項に記載されていることを特徴とする方法。
【請求項１０】
前記印刷がページ幅のアレイにより成し遂げられることを特徴とする請求項９に記載の方法。
【発明の詳細な説明】
【技術分野】
【０００１】
本発明は、インクジェット印刷用のインクセットに、特に、一色の別色へのブリードを減らすようにインクがすべて互いに相互作用するインクセットに関する。本発明は、また、この互いに相互作用するインクセットでのインクジェット印刷の方法にも関する。
【背景技術】
【０００２】
インクジェット印刷は、インクの小滴が紙のような印刷媒体上に付着されて所望の画像を形成するノンインパクト印刷方法である。小滴は、マイクロプロセッサーによって発生した電気信号に対応してプリントヘッドから噴出される。
【０００３】
インクジェットプリンターは低コスト、高品質印刷を提供し、他のタイプのプリンターの人気のある代替品になってきた。しかしながら、インクジェットプリンターは、例えば、プリンターソフトウェアにおけるブリード制御アルゴリズムによる減速だけでなく、主にインクジェットインクの比較的遅い乾燥時間のために、レーザープリンターの速度に目下ところ対抗することができない。
【０００４】
ブリードは、インクジェット印刷で使用される比較的低粘度のインクが広がる傾向があるので、かつ、インクジェットプリンターが３つまたは４つの原色を同時の（またはほぼ同時の）やり方で印刷する能力を有するので、インクジェット印刷における特殊な問題である。ブリードは、２つの印刷液体のそれらの界面での混合または「ブリーディング」として現れ、それによって２つの印刷液体間の境界画定のラインはあいまいになる。ブリーディングは、界面での望ましくない色形成ならびに画像における解像度、色分離、エッジの鋭さおよび色純度の同時に起こる損失の原因になるかもしれない。２つの隣接液体が色で対照的になればなるほど（黒色および黄色のように）、ブリードはより目に見えるようになる。ブリードは、また、青色と黄色が混合して緑色を生み出す場合のような、２つのインクの混合が第２の色を生み出す場合に特に注目に値する。
【０００５】
ブリード問題に対して様々な解決策が提案されてきた。ある方法は、ブリードを減らすためにインク環境を変えることを伴う。例えば、加熱された圧盤および他の熱源が、特別に考案された紙に沿って、ブリードを減らすために用いられてきた。しかしながら、これらはコストを追加し、ブリードはかかる手段なしで制御されることが好ましい。
【０００６】
別の方法、および最も一般に用いられる方法は、第１印刷液体が完全に乾燥するまで第２印刷液体の塗布の遅延を伴う。この方法もまた、その非効率さのためだけでなく、それが特に有効ではないために不利である。例えば、第１印刷液体が乾燥している場合でさえも、ブリードが起こるかもしれないことが観察され、それは、第２印刷液体の液体媒体に「再溶解される」ようになる第１印刷液体の着色剤によって引き起こされると考えられる。従って、第１印刷液体の成分が液体媒体中により可溶性であればあるほど、第１印刷液体が乾燥している場合でさえもブリードが起こる可能性はより大きいであろう。この方法は、それがマルチカラープリントを生み出す速度に随意の制限を課すので、インクジェット印刷用途で特に不利である。
【０００７】
ブリードを減らすために提案された別の方法は、印刷液体の何の混ざり合いまたは混合も起こり得ないように互いに距離を置いて２つの印刷液体を塗布することである。しかしながら、この方法は、該問題に対する有効な解決策ではなく、不満足な解像度を有する画像を生み出す。
【０００８】
ブリードの問題に対して提案された他の解決策は、例えば、界面活性剤または他の浸透剤を含めるべくインクの成分を変えることを伴う。これらの成分はある種の配合物ではブリードを減らすことができるが、エッジの鋭さおよび光学密度は通常損なわれる。
【０００９】
幾つかの方法は、例えば、黒色−色および特に黒色−黄色からの双方向ブリードを減らすことを指向している。これらの双方向組合せはある程度役立つが、ブリードはセット中の色のすべての組合せで減らされるまたは排除されることが好ましい。
【００１０】
米国特許公報（特許文献１）、米国特許公報（特許文献２）および米国特許公報（特許文献３）はすべて、セット中のすべてのインクが相互作用し、それによってブリードを減らすようにデザインされている４色インクセットを開示している。しかしながら、これらの参考文献は、着色剤の１つまたは複数が可溶性染料である（インクは染料の溶液である）インクセットを開示しており、さらに４色以下の使用を開示している。好ましくは、改善された光堅牢度のために、相互作用するインクセットは完全に顔料着色剤より構成されることができる。そして好ましくは、広範囲のために、相互作用するインクセットは５色以上より構成されることができる。
【００１１】
上に特定された刊行物のすべての開示は、その内容全体を記載したものとしてあらゆる目的のために本明細書に参照により援用される。
【００１２】
従って、速い印刷速度を同様に可能にしたまま、改善された印刷品質（特に、すべての色間の減少したブリード）および改善されたエッジの鋭さを提供することができるインクジェットインクセットを求める要求は依然として存在する。
【００１３】
【特許文献１】米国特許第５，７００，３１７号明細書
【特許文献２】米国特許第６，０２２，９０８号明細書
【特許文献３】米国特許第６，４６０，９８７号明細書
【特許文献４】米国特許第５，５５４，７３９号明細書
【特許文献５】米国特許第５，５７１，３１１号明細書
【特許文献６】米国特許第５，６０９，６７１号明細書
【特許文献７】米国特許第５，６７２，１９８号明細書
【特許文献８】米国特許第５，６９８，０１６号明細書
【特許文献９】米国特許第５，７０７，４３２号明細書
【特許文献１０】米国特許第５，７１８，７４６号明細書
【特許文献１１】米国特許第５，７４７，５６２号明細書
【特許文献１２】米国特許第５，７４９，９５０号明細書
【特許文献１３】米国特許第５，８０３，９５９号明細書
【特許文献１４】米国特許第５，８３７，０４５号明細書
【特許文献１５】米国特許第５，８４６，３０７号明細書
【特許文献１６】米国特許第５，８５１，２８０号明細書
【特許文献１７】米国特許第５，８６１，４４７号明細書
【特許文献１８】米国特許第５，８８５，３３５号明細書
【特許文献１９】米国特許第５，８９５，５２２号明細書
【特許文献２０】米国特許第５，９２２，１１８号明細書
【特許文献２１】米国特許第５，９２８，４１９号明細書
【特許文献２２】米国特許第５，９７６，２３３号明細書
【特許文献２３】米国特許第６，０５７，３８４号明細書
【特許文献２４】米国特許第６，０９９，６３２号明細書
【特許文献２５】米国特許第６，１２３，７５９号明細書
【特許文献２６】米国特許第６，１５３，００１号明細書
【特許文献２７】米国特許第６，２２１，１４１号明細書
【特許文献２８】米国特許第６，２２１，１４２号明細書
【特許文献２９】米国特許第６，２２１，１４３号明細書
【特許文献３０】米国特許第６，２７７，１８３号明細書
【特許文献３１】米国特許第６，２８１，２６７号明細書
【特許文献３２】米国特許第６，３２９，４４６号明細書
【特許文献３３】米国特許第６，３３２，９１９号明細書
【特許文献３４】米国特許第６，３７５，３１７号明細書
【特許文献３５】米国特許出願公開第２００１/０，０３５，１１０号明細書
【特許文献３６】ＥＰ−Ａ−第１，０８６，９９７号明細書
【特許文献３７】ＥＰ−Ａ−第１，１１４，８５１号明細書
【特許文献３８】ＥＰ−Ａ−第１，１５８，０３０号明細書
【特許文献３９】ＥＰ−Ａ−第１，１６７，４７１号明細書
【特許文献４０】ＥＰ−Ａ−第１，１２２，２８６号明細書
【特許文献４１】国際公開第０１／１０９６３号パンフレット
【特許文献４２】国際公開第０１／２５３４０号パンフレット
【特許文献４３】国際公開第０１／９４４７６号パンフレット
【特許文献４４】米国特許第５，０８５，６９８号明細書
【特許文献４５】米国特許第５，９９８，５０１号明細書
【特許文献４６】米国特許第６，２９９，９４１号明細書
【特許文献４７】米国特許第４，２４６，１５４号明細書
【特許文献４８】ＥＰ−Ａ−第０，７６９，５０９号明細書
【特許文献４９】ＥＰ−Ａ−第１，１２７，７０７号明細書
【特許文献５０】米国特許第５，５７１，３３１号明細書
【特許文献５１】ＥＰ第１，１４６，０９０号明細書
【特許文献５２】米国特許第５，５１９，０８５号明細書
【特許文献５３】米国特許第５，２３１，１３１号明細書
【特許文献５４】米国特許第５，７０８，０９５号明細書
【特許文献５５】米国特許第６，４３３，１１７号明細書
【特許文献５６】米国特許第５，８０１，７３８号明細書
【特許文献５７】米国特許第５，５５５，００８号明細書
【特許文献５８】米国特許第５，７１３，９９３号明細書
【特許文献５９】米国特許第５，７５０，５９４号明細書
【特許文献６０】米国特許第５，５１８，５３４号明細書
【特許文献６１】米国特許第６，１８３，０６３号明細書
【特許文献６２】米国特許第６，３５０，０１１号明細書
【特許文献６３】米国特許出願公開第２００２／０，１０１，４７５号明細書
【特許文献６４】米国特許第６，４６７，８７０号明細書
【特許文献６５】米国特許第６，４４３，５５５号明細書
【特許文献６６】米国特許出願公開第２００２／０，０３３，８６３号明細書
【特許文献６７】米国特許第６，４６７，８７４号明細書
【非特許文献１】アルバーツソン（Ａｌｂｅｒｔｓｓｏｎ）著、「細胞粒子および高分子の分配（Ｐａｒｔｉｔｉｏｎ  ｏｆ  Ｃｅｌｌ  Ｐａｒｔｉｃｌｅｓ  ａｎｄ  Ｍａｃｒｏｍｏｌｅｃｕｌｅｓ）」、第３版、ジョン・ワイリー・アンド・サンズ（Ｊｏｈｎ  Ｗｉｌｅｙ  ＆  Ｓｏｎｓ）
【発明の開示】
【課題を解決するための手段】
【００１４】
相互に作用するインクのインクセットであって、前記インクセットは、下記のカテゴリーａ〜ｄ：
ａ）着色剤と水性媒体とを含む比較的高いｐＫａの水性アニオンインクと、
ｂ）着色剤と水性媒体とを含み、カテゴリーａからのセット中の任意のインクのｐＫａよりも下のｐＨに調節されている比較的低いｐＫａの水性アニオンインクと、
ｃ）着色剤と水性媒体とを含む水性で第四級化されていないカチオンインクと、
ｄ）着色剤と水性媒体とを含む水性第四級化カチオンインクと、
から選択される少なくとも４つのインクを含み、
任意の１つのカテゴリーからの３つ以下のインクがセット中に存在し、任意の１つのカテゴリーからのすべてのインクは、水性相変化メカニズムによって別の１つと互いに相互作用するように、補完的な非相溶性成分をさらに含むことを特徴とするインクセットが提供される。
【００１５】
別の態様では、本発明は、
（ａ１）第１着色剤、第１水性媒体および、任意選択的に、第１非相溶性添加剤を含み、第１ｐＫａを有する第１水性アニオンインク、
（ａ２）第２着色剤、第２水性媒体および、任意選択的に、第２非相溶性添加剤を含み、第２ｐＫａを有する第２水性アニオンインク、
（ａ３）第３着色剤、第３水性媒体および、任意選択的に、第３非相溶性添加剤を含み、第３ｐＫａを有する第３水性アニオンインク、
（ｂ１）第４着色剤、第４水性媒体および、任意選択的に、第４非相溶性添加剤を含み、第４ｐＫａを有する第４水性アニオンインクであって、もし、インク（ａ１）、（ａ２）および（ａ３）の１つまたは複数が存在する場合には、
（ｉ）第４ｐＫａは第１、第２または第３ｐＫａのいずれよりも低く、かつ
（ｉｉ）第４アニオンインクは第１、第２または第３ｐＫａのいずれよりも下のｐＨを有する第４水性アニオンインクと、
（ｂ２）第５着色剤、第５水性媒体および、任意選択的に、第５非相溶性添加剤を含み、第５ｐＫａを有する第５水性アニオンインクであって、もし、インク（ａ１）、（ａ２）および（ａ３）の１つまたは複数が存在する場合には、
（ｉ）第５ｐＫａは第１、第２または第３ｐＫａのいずれよりも低く、かつ
（ｉｉ）第５アニオンインクは第１、第２または第３ｐＫａのいずれよりも下のｐＨを有する第５水性アニオンインクと、
（ｂ３）第６着色剤、第６水性媒体および、任意選択的に、第６非相溶性添加剤を含み、第６ｐＫａを有する第６水性アニオンインクであって、もし、インク（ａ１）、（ａ２）および（ａ３）の１つまたは複数が存在する場合には、
（ｉ）第６ｐＫａは第１、第２または第３ｐＫａのいずれよりも低く、かつ
（ｉｉ）第６アニオンインクは第１、第２または第３ｐＫａのいずれよりも下のｐＨを有する第６水性アニオンインクと、
（ｃ１）第７着色剤、第７水性媒体および、任意選択的に、第７非相溶性添加剤を含む第１水性で第四級化されていないカチオンインクと、
（ｃ２）第８着色剤、第８水性媒体および、任意選択的に、第８非相溶性添加剤を含む第２水性で第四級化されていないカチオンインクと、
（ｃ３）第９着色剤、第９水性媒体および、任意選択的に、第９非相溶性添加剤を含む第３水性で第四級化されていないカチオンインクと、
（ｄ１）第１０着色剤、第１０水性媒体および、任意選択的に、第１０非相溶性添加剤を含む第１水性第四級化カチオンインクと、
（ｄ２）第１１着色剤、第１１水性媒体および、任意選択的に、第１１非相溶性添加剤を含む第２水性第四級化カチオンインクと、ならびに
（ｄ３）第１２着色剤、第１２水性媒体および、任意選択的に、第１２非相溶性添加剤を含む第３水性第四級化カチオンインクであって、
もし、
（ａ１）、（ａ２）および（ａ３）は異なり、かつ（ａ１）、（ａ２）および（ａ３）の２つ以上が存在する場合には、存在する（ａ１）、（ａ２）および（ａ３）のそれぞれは第１、第２および第３非相溶性添加剤をそれぞれさらに含み、前記第１、第２および第３非相溶性添加剤はそれぞれそれらの間での接触の場合に第１、第２および第３水性媒体の水性相分離を誘発するように互いに非相溶性であり、
（ｂ１）、（ｂ２）および（ｂ３）は異なり、かつ（ｂ１）、（ｂ２）および（ｂ３）の２つ以上が存在する場合には、存在する（ｂ１）、（ｂ２）および（ｂ３）のそれぞれは第４、第５および第６非相溶性添加剤をそれぞれさらに含み、前記第４、第５および第６非相溶性添加剤はそれぞれそれらの間での接触の場合に第４、第５および第６水性媒体の水性相分離を誘発するように互いに非相溶性であり、
（ｃ１）、（ｃ２）および（ｃ３）は異なり、かつ（ｃ１）、（ｃ２）および（ｃ３）の２つ以上が存在する場合には、存在する（ｃ１）、（ｃ２）および（ｃ３）のそれぞれは第７、第８および第９非相溶性添加剤をそれぞれさらに含み、前記第７、第８および第９非相溶性添加剤はそれぞれそれらの間での接触の場合に第７、第８および第９水性媒体の水性相分離を誘発するように互いに非相溶性であり、
（ｄ１）、（ｄ２）および（ｄ３）は異なり、かつ（ｄ１）、（ｄ２）および（ｄ３）の２つ以上が存在する場合には、存在する（ｄ１）、（ｄ２）および（ｄ３）のそれぞれは第１０、第１１および第１２非相溶性添加剤をそれぞれさらに含み、前記第１０、第１１および第１２非相溶性添加剤はそれぞれそれらの間での接触の場合に第１０、第１１および第１２水性媒体の水性相分離を誘発するように互いに非相溶性である第３水性第四級化カチオンインクと、からなる群から選択された少なくとも４つのインクを含む互いに相互作用するインクのインクセットを提供する。
【００１６】
明確にするために、本明細書では「第１」、「第２」などの成分についての言及は、それらが実際には同じものであってもよいように、かかる成分が異なることを暗示すると解釈されるべきではない。しかしながら、インク（ａ１）〜（ａ３）、（ｂ１）〜（ｂ３）、（ｃ１）〜（ｃ３）および（ｄ１）〜（ｄ３）のそれぞれは異なる。例えば、第１インク（ａ１）および第２インク（ａ２）は両方とも着色剤として同じ顔料を含有してもよい（第１および第２着色剤は同一である）が、フルカラー強度インクおよび「薄い」インク（異なるインク）を生み出すように異なる量でである。
【００１７】
さらに、用語「非相溶性成分」および「非相溶性添加剤」は同義的に用いられてもよい。
【００１８】
本発明は、また、上に特定されたインクセットを用いるインクジェット印刷の方法にも関する。
【００１９】
本発明のこれらのおよび他の特徴および利点は、次の詳細な説明を読むことから当業者によって一層容易に理解されるであろう。明確にするために、別個の実施形態との関連で上におよび下に記載される本発明のある種の特徴はまた単一実施形態で組み合わせて提供されてもよいことが認識されるべきである。逆に、単一実施形態との関連で簡潔に記載される本発明の様々な特徴は、また、別々にまたは任意のサブ組合せで提供されてもよい。さらに、文脈で特に明記されない限り、単数形での言及はまた複数形を含んでもよい（例えば、「ア（ａ）」および「アン（ａｎ）」は１つ、または１つまたは複数を意味してもよい）。
【発明を実施するための最良の形態】
【００２０】
本発明に従って、本発明のインクセット中のインクのそれぞれは、一色の別色へのブリードを減らすために、インクセット中の他のインクのすべてと互いに相互作用するようにデザインされている。各インク−インク組合せについて、かかるブリードは完全には防止されないかもしれないが、隣接ピクセル上で色の混合（ブリード）を減らすようにする相互作用が存在し、こうして印刷品質を改善する。
【００２１】
インクセット中のインクのそれぞれは、個別に、着色剤、水性媒体および、任意選択的に、下に記載されるような他の成分（例えば、非相溶性添加剤のような）、または別のやり方で当業者に周知であるような他の成分（例えば、インクの１つまたは複数の特性の性能を高めるための添加剤のような）を含む。
【００２２】
着色剤は可溶性または不溶性であり得る。「不溶性」着色剤が使用に好ましく、微粒子着色剤がより好ましく、顔料が特に好ましい。
【００２３】
「不溶性」着色剤とは、水性媒体中で溶液を（有意の程度まで）形成しない着色剤を意味する。不溶性着色剤は、例えば、微粒子であり、水性媒体中に分散され得る。不溶性着色剤は、水非混和性油相に溶解され、水性媒体中に（ミクロ）乳化され得る。微粒子着色剤、およびこれらの微粒子着色剤の分散系を含むインクが好ましい。
【００２４】
微粒子着色剤には、顔料および分散染料、ならびに分散ポリマーマトリックスのような不溶性マトリックス上に／中に固定されている可溶性染料が含まれる。
【００２５】
微粒子着色剤（顔料のような）は伝統的に高分子分散剤または界面活性剤のような分散剤によって媒体中で分散系へと安定化される。もっと最近になってであるが、いわゆる「自己分散可能な」または「自己分散性の」顔料（以下、「ＳＤＰ」）が開発された。その名前が暗示するように、ＳＤＰは分散剤なしで媒体中に分散可能である。例えば、それらの開示がその内容全体を記載したものとしてあらゆる目的のために本明細書に参照により援用される、米国特許公報（特許文献４）、米国特許公報（特許文献５）、米国特許公報（特許文献６）、米国特許公報（特許文献７）、米国特許公報（特許文献８）、米国特許公報（特許文献９）、米国特許公報（特許文献１０）、米国特許公報（特許文献１１）、米国特許公報（特許文献１２）、米国特許公報（特許文献１３）、米国特許公報（特許文献１４）、米国特許公報（特許文献１５）、米国特許公報（特許文献１６）、米国特許公報（特許文献１７）、米国特許公報（特許文献１８）、米国特許公報（特許文献１９）、米国特許公報（特許文献２０）、米国特許公報（特許文献２１）、米国特許公報（特許文献２２）、米国特許公報（特許文献２３）、米国特許公報（特許文献２４）、米国特許公報（特許文献２５）、米国特許公報（特許文献２６）、米国特許公報（特許文献２７）、米国特許公報（特許文献２８）、米国特許公報（特許文献２９）、米国特許公報（特許文献３０）、米国特許公報（特許文献３１）、米国特許公報（特許文献３２）、米国特許公報（特許文献３３）、米国特許公報（特許文献３４）、米国特許公報（特許文献３５）、（特許文献３６）、（特許文献３７）、（特許文献３８）、（特許文献３９）、（特許文献４０）、（特許文献４１）、（特許文献４２）および（特許文献４３）を参照されたい。
【００２６】
着色剤が微粒子である場合、最大色強度および良好な噴射のために小さな粒子を使用することが望ましい。粒度は一般に約０．００５ミクロン〜約１５ミクロンの範囲にあり、典型的には約０．００５〜約１ミクロンの範囲にあり、好ましくは約０．００５〜約０．５ミクロンであり、より好ましくは約０．０１〜約０．３ミクロンの範囲にある。
【００２７】
「水性媒体」は、水または水と少なくとも１つの水溶性有機溶剤（共溶剤）との混合物を意味する。好適な混合物の選択は、所望の表面張力および粘度、選択された着色剤、インクの乾燥時間、ならびにインクが印刷される基材のタイプのような、具体的用途の要件に依存する。選択されてもよい水溶性有機溶剤の代表的な例は、米国特許公報（特許文献４４）（その開示がその内容全体を記載したものとしてあらゆる目的のために本明細書に参照により援用される）に開示されている。
【００２８】
水と水溶性溶剤との混合物が使用される場合、水性媒体は典型的には約３０％〜約９５％水を含有し、残り（すなわち、約７０％〜約５％）は水溶性溶剤である。好ましい組成物は、水性媒体の総重量を基準にして約６０％〜約９５％水を含有する。
【００２９】
インク中の水性媒体の量は、インクの総重量を基準にして、典型的には約７０％〜約９９．８％、好ましくは約８０％〜約９９．８％の範囲にある。
【００３０】
他の成分は、お決まりの実験によって容易に判断されてもよい、かかる他の成分がインクセットの互いに相互作用するメカニズムを妨げない程度まで、インクジェットインク中へ配合されてもよい。かかる他の成分は一般的な意味で当該技術において周知である。
【００３１】
例えば、界面活性剤は、インクの総重量を基準にして、典型的には約０．０１〜５％、好ましくは約０．２〜２％の量で使用されてもよい。
【００３２】
殺生物剤が微生物の生育を阻害するために使用されてもよい。
【００３３】
グリコールエーテルおよび１，２−アルカンジオールのような浸透剤もまた配合物に添加されてもよい。グリコールエーテルには、エチレングリコールモノブチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソプロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、およびジプロピレングリコールモノ−イソプロピルエーテルが含まれる。１，２−アルカンジオールは好ましくは１，２−Ｃ１〜６アルカンジオールであり、最も好ましくは１，２−ヘキサンジオールである。
【００３４】
添加されるグリコールエーテルおよび１，２−アルカンジオールの量は、適切に決定されなければならないが、インクの総重量を基準にして、典型的には約１〜約１５重量％、より典型的には約２〜約１０重量％の範囲にある。
【００３５】
エチレンジアミン四酢酸（ＥＤＴＡ）、イミノ二酢酸（ＩＤＡ）、エチレンジアミン−ジ（ｏ−ヒドロキシフェニル酢酸）（ＥＤＤＨＡ）、ニトリロ三酢酸（ＮＴＡ）、ジヒドロキシエチルグリシン（ＤＨＥＧ）、トランス−１，２−シクロヘキサンジアミン四酢酸（ＣｙＤＴＡ）、ジエチレントリアミン−Ｎ，Ｎ，Ｎ’，Ｎ”，Ｎ”−五酢酸（ＤＴＰＡ）、およびグリコールエーテルジアミン−Ｎ，Ｎ，Ｎ’，Ｎ’−四酢酸（ＧＥＤＴＡ）、ならびにそれらの塩のような金属イオン封鎖（またはキレート）剤は、例えば、重金属不純物の有害な影響を排除するために有利であるかもしれない。
【００３６】
さらに、ポリウレタンのようなバインダーもまた添加されてもよい。
【００３７】
具体的なインクジェットインク配合物の例は、本明細書に引用された多くの参考文献に示されている。
【００３８】
噴射速度、小滴の分離長さ、滴サイズおよび流動安定性は、インクの表面張力および粘度によって大きく影響を受ける。顔料入りインクジェットは典型的には２５℃で約２０ダイン／ｃｍ〜約７０ダイン／ｃｍの範囲の表面張力を有する。粘度は２５℃で３０ｃＰほどにも高くあり得るが、典型的にはそれよりも幾分低い。インクは、広範囲の噴出条件、すなわち、ピエゾエレメントの駆動頻度、またはドロップ−オン−デマンドデバイスか連続装置かのどちらか向けサーマルヘッドについての噴出条件とノズルの形状およびサイズとに適合する物理的性質を有する。インクは、インクジェット装置で有意の程度まで詰まらないように長期間の優れた貯蔵安定性を有するべきである。さらに、インクは、それが接触するインクジェット印刷装置の部品を腐食するべきではなく、それは本質的に無臭で、無毒性であるべきである。
【００３９】
（インクのイオン特性）
本発明のインクは一態様ではそれらのイオン特性によって特徴づけられ、上に一般に記載されたインクの各カテゴリー（ａ〜d）は特定されるイオン特性を有する。
【００４０】
インクのイオン特性は、それに含有される着色剤のイオン特性によって主として決定される。従って、アニオンインクは、水性媒体中で、着色アニオン（可溶性染料）またはアニオン表面電荷を持った着色粒子をもたらす着色剤を意味するアニオン着色剤を含むであろう。逆に、カチオンインクは、水性媒体中で、着色カチオン（可溶性染料）またはカチオン表面電荷を持った着色粒子をもたらす着色剤を意味するカチオン着色剤を含むであろう。粒子表面電荷は、例えば、有機顔料を覆うアニオンまたはカチオン部分付き分散剤によって、または（ＳＤＰにおけるように）アニオンまたはカチオン部分付き基を粒子表面に付けることによって与えることができる。
【００４１】
インク中の着色剤が非イオン（中性）である場合、インクのイオン特性は、それに溶解または分散されたイオン性ポリマーに由来する。従って、アニオンインクは、また、非イオン着色剤と可溶性のまたは分散されたアニオンポリマーとを含むことができる。同様に、カチオンインクは、また、非イオン着色剤と可溶性のまたは分散されたカチオンポリマーとを含むことができる。
【００４２】
本明細書で言及されるアニオン部分は、任意の好適なアニオン部分であり得るが、好ましくは（Ｉ）または（ＩＩ）
【００４３】
【化１】
2006506512.tif 000002
【００４４】
−ＣＯ２Ｚ  （Ｉ）    −ＳＯ３Ｚ  （ＩＩ）
（式中、Ｚは、有機塩基の共役酸、アルカリ金属イオン、アンモニウム、ホスホニウムおよびスルホニウムイオンのような「オニウム」イオン、ならびにテトラアルキルアンモニウム、テトラアルキルホスホニウムおよびトリアルキルスルホニウムイオンのような置換「オニウム」イオン、または任意の他の好適なカチオン対イオンからなる群から選択される）である。有用なアニオン部分には、また、ホスフェートおよびホスホネートが含まれる。
【００４５】
アニオンインクは、さらに、それらのアニオン部分のｐＫａ（「高い」もしくは「低い」）によって特徴づけられる。本発明との関連で「高い」および「低い」は、特に明記されない限り、絶対的には考えられず、むしろ、それらは相対的に考えられる。言い換えれば、「高い」は「低い」よりも高く、「低い」は「高い」よりも低い。
【００４６】
より絶対的には、「高い」ｐＫａは典型的には約４または４．５よりも上であり、「低い」ｐＫａは典型的には約５または４．５よりも下である。カルボキシレートは高いｐＫａ部分として一般に有用であり、スルホネートは低いｐＫａ部分として一般に有用である。
【００４７】
好ましいカチオン部分は、一般式（ＩＩＩ）：
【００４８】
【化２】
2006506512.tif 000003
【００４９】
（中、ＡはＮ、ＰまたはＳであり、Ｒ１〜Ｒ３はそれぞれ独立してＨ、１〜２０個の炭素原子のアルキルもしくはアルキルエーテル、または１〜９個の炭素原子を有するアリールもしくはアルキルアリールである（ただし、ＡがＳである場合にはＲ３は存在しない）、かつＸは、ハライド、有機酸の共役塩基、および無機酸の共役塩基または他の好適なアニオン対イオンからなる群から選択される）によって特徴づけられるかもしれない。ＡがＮまたはＰであり、Ｒ１〜Ｒ３がＨ以外である場合、カチオン化学種は第四級であるまたは第四級化されていると言われる。
【００５０】
本明細書では、カチオンインクは、第四級化または非第四級化されているとして特徴づけられる。用語「非第四級化されている」（または非第四級である）は、第四級化されている（または第四級である）化学種以外のすべてのカチオン化学種を意味する。
【００５１】
アニオン染料は、イオン部分としてカルボン酸またはスルホン酸基を典型的には含有し、すべての酸性染料を包含する。本発明で最も有用なアニオン染料のタイプは、酸性染料、直接染料、食品色素、媒染染料および反応染料である。アニオン染料は、ニトロソ化合物、ニトロ化合物、アゾ化合物、スチルベン化合物、トリアリールメタン化合物、キサンテン化合物、キノリン化合物、チアゾール化合物、アジン化合物、オキサジン化合物、チアジン化合物、アミノケトン化合物、アントラキノン化合物、インジゴイド化合物およびフタロシアニン化合物からなる群から好ましくは選択される。
【００５２】
カチオン染料は第四級窒素基を通常含有し、すべての塩基性染料を包含する。最も有用であるカチオン染料のタイプには、塩基性染料および酸性部位を繊維のような基材上に結合するようにデザインされている媒染染料の幾つかが含まれる。かかる染料の有用なタイプには、そのすべてが当該技術で周知である、とりわけ、例えば、アゾ化合物、ジフェニルメタン化合物、トリアリールメタン化合物、キサンテン化合物、アクリジン化合物、キノリン化合物、メチンまたはポリメチン化合物、チアゾール化合物、インダミンまたはインドフェニル化合物、アジン化合物、オキサジン化合物、およびチアジン化合物が含まれる。
【００５３】
媒体不溶性着色剤である分散染料もまた本発明で有用である。有用な可溶性染料の多くのタイプの例は、米国特許公報（特許文献３）（その開示がその内容全体を記載したものとしてあらゆる目的のために本明細書に参照により援用される）に開示されている。
【００５４】
マトリックス上に／中に固定された染料は、例えば、米国特許公報（特許文献４５）、米国特許公報（特許文献４６）、米国特許公報（特許文献４７）、（特許文献４８）および（特許文献４９）（その開示がその内容全体を記載したものとしてあらゆる目的のために本明細書に参照により援用される）に見いだすことができる。
【００５５】
アニオンＳＤＰには、例えば、先に援用された米国特許公報（特許文献５０）、米国特許公報（特許文献２１）および（特許文献５１）に記載されているもののようなスルホン化化学種が含まれる。アニオンＳＤＰには、また、例えば、先に援用された米国特許公報（特許文献５）、米国特許公報（特許文献６）および（特許文献４３）に記載されているもののようなカルボキシル化化学種が含まれる。カチオンＳＤＰには、先に援用された米国特許公報（特許文献２９）に記載されているもののような化学種が含まれる。
【００５６】
伝統的な顔料分散系用の分散剤は、当該技術で周知の理由のために構造化ポリマーが分散剤として好ましいが、ほとんどの場合、構造化ポリマーかランダムポリマーかのどちらかである。用語「構造化ポリマー」は、ブロック、分岐またはグラフト構造を有するポリマーを意味する。かかるポリマー分散剤は典型的には疎水性モノマーおよび親水性モノマーの両方を含む。一般に、親水性モノマーは、イオン特性をポリマーに画定する部分を含有する。親水性モノマーの幾つかの例は、メタクリル酸、アクリル酸、（メタ）アクリル酸ジメチルアミノエチルならびにそれらの塩および（メタ）アクリル酸ジメチルアミノエチルの第四級塩である。疎水性モノマーの幾つかの例は、メタクリル酸メチル、メタクリル酸ｎ−ブチル、メタクリル酸２−ヒドロキシエチル、メタクリル酸ベンジル、メタクリル酸２−フェニルエチルおよび相当するアクリル酸エステルである。
【００５７】
主としてカルボキシルアニオン部分を有する特に好ましい構造化ポリマーは、先に援用された米国特許公報（特許文献４４）に開示されているＡＢまたはＢＡＢブロック共重合体、米国特許公報（特許文献５２）に開示されているＡＢＣブロック共重合体、および米国特許公報（特許文献５３）に開示されているグラフトポリマーである。主としてスルホネートまたはホスフェートアニオン部分を有する特に好ましい構造化ポリマーは、米国特許公報（特許文献５４）および米国特許公報（特許文献５５）に開示されている。主として第四級化または第四級化されていないカチオン部分を有する特に好ましい構造化ポリマーは、米国特許公報（特許文献５６）および米国特許公報（特許文献５７）に開示されている。これらの刊行物の開示は、その内容全体を記載したものとしてあらゆる目的のために本明細書に参照により援用される。
【００５８】
ポリマー分散剤の数平均分子量は約５０，０００ダルトン（Ｄａｌｔｏｎ）未満、好ましくは約１０，０００未満、最も好ましくは約６，０００未満であるべきである。約１〜４、最も好ましくは約１〜２の多分散性（数平均分子量と重量平均分子量との関係）を有するポリマーが最も有利である。
【００５９】
分散剤での分散にまたはＳＤＰを製造するための処理に好適であり得る代表的な市販の乾燥したプレスケーキ顔料は、先に援用された米国特許公報（特許文献４４）に開示されている。
【００６０】
（インク相互作用の様式）
先に指摘されたように、インクセット中の各インクは、ブリードを軽減するようにセット中のあらゆる他のインクと相互作用するであろう。少なくとも４つのインクのインクセットを可能にするために、相互作用の複合メカニズムが利用可能でなければならない。任意のインク−インク相互作用について、２つ以上のメカニズムが作動してもよい。
【００６１】
ブリードの制御のための相互作用の一メカニズムは、高いｐＫａおよび高いｐＨのアニオンインクと低いｐＫａおよび低いｐＨのアニオンインクとの反応であって、混合された場合に、低いｐＨインクが高いｐＨインクと相互作用してそれを不安定化するように、低いｐＨインクのｐＨが高いｐＨインクのｐＫａに近いかまたはそれよりも下である反応である。決定的に重要なパラメーターは、２つのインク中のアニオン部分の相対的なｐＫａであり、必ずしも絶対値ではないことが認識されるであろう。２つのインク間のこの種の相互作用は、例えば、米国特許公報（特許文献５８）（その開示がその内容全体を記載したものとしてあらゆる目的のために本明細書に参照により援用される）に見いだされる。
【００６２】
ブリードの制御のための相互作用の別のメカニズムは、アニオンインクとカチオンインクとの反応である。２つのインク間のこの種の相互作用は、例えば、米国特許公報（特許文献５６）および米国特許公報（特許文献５７）（それらの開示がその内容全体を記載したものとしてあらゆる目的のために本明細書に参照により援用される）に見いだされる。
【００６３】
ブリードの制御のための相互作用の別のメカニズムは、第四級化カチオンインクと第四級化されていないカチオンインクとの反応である。２つのインク間のこの種の相互作用は、例えば、米国特許公報（特許文献５９）および米国特許公報（特許文献６０）（それらの開示がその内容全体を記載したものとしてあらゆる目的のために本明細書に参照により援用される）に見いだされる。
【００６４】
ブリードの制御のための別のメカニズムは、水相変化相互作用である。この場合における相互作用は互いの非相溶性であり、イオン相互作用に必ずしも依存しない。２つのインク間のこの種の相互作用は、例えば、米国特許公報（特許文献１）（その開示がその内容全体を記載したものとしてあらゆる目的のために本明細書に参照により援用される）に見いだされる。
【００６５】
ポリマー非混和性を用いて水相間に物質を選択的に分配するという概念（水性相分離）は、公知であり、バイオテクノロジー分野で文書により十分に立証されている。（例えば、（非特許文献１）を参照されたい。）一般に、所与の溶剤中の異なるポリマーの溶液の混合物は相分離を誘発する。３つ以上の相は、３つ以上の異なるポリマーを用いることによって誘発されるかもしれず、溶剤中の似ていないポリマーと同じ多くの相があるだろう。
【００６６】
水性相分離は、２つのインク間の相互作用を前提として別個の水相が形成されるであろうように、ポリマーを１つのインクに、かつ該ポリマーと非混和性である第２化学種（非相溶性成分／添加剤）を他のインクに組み入れることによって、インクジェットインクでのブリードを制御するために用いることができる。こうして、これら２つのインクが互いに隣接して印刷される場合、界面境界線が２つの間に現れ、インクが混合するまたはブリードする傾向が減少するであろう。同様に、３つのインク間のブリード制御は、３つの異なるインク中に３つの互いに非混和性のポリマーを１つずつ組み入れることによって達成することができる。
【００６７】
ポリマーと相互作用すると、水性相分離を共誘発するいわゆる「第２化学種」は、別のポリマーまたは低分子量成分であってもよい。本質的に、その中に含有されるポリマーと相互作用すると水溶液中に水性相分離を誘発する任意の化合物は、第２化学種として役立つかもしれない。いかなる場合にも、第２化学種は、一対にされるべきであるポリマーと実質的に非混和性でなければならない。このように、２つのポリマーが隣接印刷されるインク中で一対にされる場合、ポリマーは、非混和性であり、それによって水性相分離を誘発するのに十分なほど異ならなければならない。ポリマー分子の大きなサイズのために、非常に似ており、かつ非常に低い濃度で存在するポリマーについてさえも、相分離がポリマー−ポリマー混合物中で起こる。２つのポリマーが十分に異なるかどうかを判断する際に重要な因子には、平均分子量、多分散性、およびインク中のポリマーの濃度が含まれる。当業者によるお決まりの実験は２つの特定ポリマーが水性相分離を誘発するのに十分なほど水溶液中で異なるかどうかを判断するのに十分であろうと考えられる。
【００６８】
これらの相互作用を獲得し、相互作用するインクセットを構築するために、インクの次のカテゴリーが定義される。
【００６９】
（カテゴリー（ａ）−水性アニオンインク、高いｐＫａ）
水性媒体中に溶解または分散されたアニオン着色剤より構成されるインクであって、アニオン部分のｐＫａが本発明のカテゴリー（ｂ）インクよりも比較的高いインク。アニオン着色剤の代わりに、インクは、非イオン着色剤と可溶性のまたは分散されたアニオンポリマーとを含むことができ、ここで、ポリマー上のアニオン部分は本発明のカテゴリー（ｂ）インクよりも比較的高いｐＫａを有する。このカテゴリーのインクのｐＫａは好ましくは約４よりも上であろうし、好ましいアニオン化学種はカルボキシルである。より大きな安定性のために、インクのｐＨは、そのｐＫａよりも上に、典型的には６．５〜９の範囲のｐＨに、より典型的には７〜８の範囲に一般に調節されるであろう。
【００７０】
（カテゴリー（ｂ）−水性アニオンインク、低いｐＫａ）
水性媒体中に溶解または分散されたアニオン着色剤より構成されるインクであって、アニオン部分のｐＫａが本発明のカテゴリー（ａ）インクよりも比較的低く、インクのｐＨが本発明のカテゴリー（ａ）インクのｐＫａにまたはそれよりも下に維持されているインク。アニオン着色剤の代わりに、インクは、非イオン着色剤と可溶性のまたは分散されたアニオンポリマーとを含むことができ、ここで、ポリマー上のアニオン部分は本発明のカテゴリー（ａ）インクよりも比較的低いｐＫａを有する。このカテゴリーのインクのｐＫａは好ましくは約５よりも下であろうし、好ましいアニオン化学種はスルホネートである。より大きな安定性のために、インクのｐＨは、そのｐＫａよりも上だが任意のカテゴリーＡインクのｐＫａ以下に一般に調節されるであろう。ｐＨおよびｐＫａの絶対値は、ＢインクのｐＨがセット中の任意のカテゴリー（ａ）インクのｐＫａよりも下である限り決定的に重要ではない。
【００７１】
（カテゴリーＣ−水性で第四級化されていないカチオンインク）
水性媒体中に分散された第四級化されていない着色剤より構成されるインク。第四級化されていないカチオン着色剤の代わりに、インクは、非イオン着色剤と可溶性のまたは分散された第四級化されていないカチオンポリマーとを含むことができる。
【００７２】
（カテゴリーＤ−水性第四級化カチオンインク）
水性媒体中に分散された第四級化カチオン着色剤より構成されるインク。第四級化カチオン着色剤の代わりに、インクは、非イオン着色剤と可溶性のまたは分散された第四級化カチオンポリマーとを含むことができる。
【００７３】
（カテゴリーからの２つ以上のインク）
インクセットが任意のカテゴリー（ａ）〜（ｄ）からの２つ以上のインクを含有する場合、同じカテゴリーのすべてのインクは、本明細書で前に記載されたように、水性相変化メカニズムによって互いに相互作用するべく配合される。そのように、カテゴリー内のすべてのインクは相互作用するだろうし、それらはまた任意の他のカテゴリーからのすべてのインクと相互作用するだろう。相互作用のこの様式に従って水性相分離を達成するために使用されるポリマーは、好ましくは水溶性の非イオンポリマーである。非イオンポリマーの使用は、それが追加のイオン相互作用またはｐＨ感受性のいかなる面倒な事態も回避するので、インクの配合を簡単にする。
【００７４】
好適に使用される非イオンポリマーの例には、約２００の最小平均分子量を有するポリエチレングリコールおよびその誘導体、約２００の最小平均分子量を有するポリプロピレングリコールおよびその誘導体、多糖類およびその誘導体、約１０，０００〜２００，０００の範囲内の平均分子量を有するポリビニルアルコールおよびその誘導体、約２，０００〜５００，０００の範囲内の平均分子量を有するポリビニルピロリドンおよびその誘導体、フィコール（Ｆｉｃｏｌｌ）（登録商標）（ファルマシア社（Ｐｈａｒｍａｃｉａ  Ｉｎｃ．）から商業的に入手可能なポリサッカローズ）のような、約４０，０００〜４００，０００の範囲内の平均分子量を有するポリサッカローズおよびその誘導体、ならびに約５００〜１０，０００の範囲内の平均分子量を有するエトキシ−およびプロポキシル化グリセロールおよびそれらの誘導体が挙げられるが、それらに限定されない。
【００７５】
ポリエチレングリコールの好適に使用される誘導体の具体例には、ポリエチレングリコールメチルエーテルおよびポリエチレングリコールビス（カルボキシメチル）エーテルが挙げられるが、それらに限定されない。好適に使用される多糖類の例には、メチルセルロース、カルボキシメチルセルロース、ならびに約３，０００〜２，０００，０００の範囲内の平均分子量を有するデキストランおよびデキストラン誘導体が挙げられるが、それらに限定されない。本発明の実施で好適に使用されるデキストランの誘導体の特定例には、ジエチルアミノエチルデキストランおよびヒドロキシプロピルデキストランが挙げられる。デキストランは、グリコーゲン、レバンおよび可溶性澱粉を含むが、それらに限定されないポリマーの群を代表するものと見なされてもよいことがさらに指摘される。エトキシ−およびプロポキシル化グリセロールの特定例には、ＬＥＧ（「リポニックス（Ｌｉｐｏｎｉｃｓ）（登録商標）エトキシル化グリセロール」）、約７２５〜４，１００の範囲内の平均分子量を有するグリセロールプロポキシレートおよびその誘導体、約７２５〜４，１００の範囲内の平均分子量を有するグリセロールプロポキシレート（メトキシレート−コ−プロポキシレート）およびその誘導体、ならびに約７２５〜４，８００の範囲内の平均分子量を有するグリセロールプロポキシレート（メトキシレート−、ベータ−エトキシレートトリオール）およびその誘導体が挙げられるが、それらに限定されない。
【００７６】
さらにより具体的には、同じａ〜ｄカテゴリー中の３つのインク間の水相変化相互作用を達成するために、３つのインクは、異なる分子量のポリエチレングリコール（ＰＥＧ）ポリマー（例えば、ＰＥＧ４０００、ＰＥＧ２０００およびＰＥＧ７５００）でそれぞれ配合することができる。同様に、相変化相互作用は、１つをデキストランで、他をＰＥＧ７５００で配合することによって一対のインク間で達成することができる。同様に、相変化相互作用は、１つをポリビニルピロリドン（ＰＶＰ）で、他をエトキシル化グリコール（ＬＥＧ）で配合することによって一対のインク間で達成することができる。これらの相互作用は、先に援用された参考文献米国特許公報（特許文献１）に詳細に記載されており、さらなる情報についてはそれを参照してもよい。
【００７７】
（好ましい実施形態）
染料セットでは、黒色染料は許容されないほどに低い光学密度を有する傾向があるので、黒色着色剤としてカーボンブラックのような顔料を使用することが望ましいが、一般に、インクセット中の着色剤はすべて同じタイプのもの（顔料または染料）である。従って、好ましい一実施形態では、本発明のインクセットの少なくとも４つのインクのすべてのインクは顔料着色剤を含む。別の好ましい実施形態では、本発明のインクセットの少なくとも４つのインクのすべてのインクは可溶性染料着色剤を含む。別の好ましい実施形態では、本発明のインクセットの少なくとも４つのインクのインクの１つは黒色顔料着色剤を含み、残りのインクは可溶性染料着色剤を含む。
【００７８】
各「インク」は、異なる色のインクを意味することを意図される。必要ならば、希釈インクの配合は異なるカテゴリーに由来することができるが、同じ色の希釈インクは異なる色と考えられない。希釈（また「薄くすること（ｌｉｇｈｔ）」または「中程度にすること（ｍｅｄｉｕｍ）」とも言われる）は、より微妙な勾配または色調を達成するためにインクセットで時々用いられる。
【００７９】
本発明のインクセットは、少なくとも４つのインク、好ましくは少なくともシアン、マゼンタ、黄色および黒色インクを含む。一実施形態では、少なくとも４つのインクは、カテゴリー（ａ）〜（ｄ）のそれぞれからの少なくとも１つのインクを含む。別の実施形態では、少なくとも４つのインクは、カテゴリー（ａ）〜（ｄ）のそれぞれからの少なくとも１つのインクを含み、かつカテゴリー（ａ）インクはアニオン自己分散性カーボンブラック着色剤より構成される。別の実施形態では、少なくとも４つのインクは、カテゴリー（ａ）〜（ｄ）のそれぞれからの少なくとも１つのインクを含み、かつカテゴリー（ｂ）インクはアニオン自己分散性カーボンブラック着色剤より構成される。別の実施形態では、少なくとも４つのインクは、カテゴリー（ａ）〜（ｄ）のそれぞれからの少なくとも１つのインクを含み、かつカテゴリー（ｃ）インクはカチオン（非第四級化）自己分散性カーボンブラック着色剤より構成される。別の実施形態では、少なくとも４つのインクは、カテゴリー（ａ）〜（ｄ）のそれぞれからの少なくとも１つのインクを含み、かつカテゴリー（ｄ）インクはカチオン（第四級化）自己分散性カーボンブラック着色剤より構成される。
【００８０】
好ましくは、少なくとも４つのインクを含むインクセットには、任意の１つのカテゴリーからの２以下のインクが存在する。
【００８１】
別の実施形態では、本発明のインクセットは、少なくとも５つのインク、好ましくは少なくともシアン、マゼンタ、黄色および黒色インクと、例えば、橙色または緑色のような少なくとも１つの追加の色とを含む。
【００８２】
本発明のインクセットは高速度印刷に、特にワンパスでの印刷に特に有利である。このように、本発明の追加の態様は、相互作用するインクセットがワンパスで基材に塗布されるインクジェット印刷の方法である。
【００８３】
特に好ましい実施形態は、ページ幅のアレイからの印刷である。ページ幅のアレイは、プリントヘッドまたは一連のプリントヘッドが基材の全幅に伸び、適所に固定されているプリンター配置を意味し、基材がアレイを通過して画像がワンパスで印刷される。ページ幅のアレイに基づく印刷システムは、例えば、米国特許公報（特許文献６１）、米国特許公報（特許文献６２）、米国特許公報（特許文献６３）、米国特許公報（特許文献６４）、米国特許公報（特許文献６５）、米国特許公報（特許文献６６）および米国特許公報（特許文献６７）（それらの開示がその内容全体を記載したものとしてあらゆる目的のために本明細書に参照により援用される）に見いだすことができる。
【国際調査報告】
2006506512.tif 000004
2006506512.tif 000005